(57)【特許請求の範囲】
【請求項１】
顧客を識別可能な識別情報の入力を受け付ける入力制御手段と、
各顧客の識別情報と当該顧客に付与されたポイント数とを関連付けて記憶する記憶部から前記入力制御手段が受け付けた前記識別情報に関連付けられた前記ポイント数を抽出する抽出手段と、
前記入力制御手段が前記識別情報の入力を受け付けた時期が、ポイントの利用促進に係る何れかのイベントの告知期間内であるかを判定する判定手段と、
前記判定手段が前記イベントの前記告知期間内であると判定した場合に、当該イベントの開催期間と、前記抽出手段が抽出した顧客の前記ポイント数と、当該開催期間に適用される増加率を顧客の前記ポイント数に適用後のポイント数と、によりポイントの利用を促す告知情報を出力する出力制御手段と、
を備える情報処理装置。
【請求項２】
前記判定手段は、前記入力制御手段が前記識別情報の入力を受け付けた時期と、当該識別情報に関連付けられた前記ポイント数とが、各イベントの前記告知期間と所定の閾値となる閾値ポイント数との条件に該当するかを判定する、
請求項１に記載の情報処理装置。
【請求項３】
前記出力制御手段は、前記判定手段が該当すると判定したイベントに関連付けられた互いに異なる複数の前記閾値ポイント数と、当該閾値ポイント数の場合に適用される増加率のうち、前記識別情報に関連付けられた前記ポイント数が超えることができる最も高い前記閾値ポイント数に関連付けられた増加率に基づいて、前記告知情報を出力する、
請求項２に記載の情報処理装置。
【請求項４】
前記出力制御手段は、前記告知情報を印字する、
請求項１乃至３の何れか一項に記載の情報処理装置。
【請求項５】
情報処理装置を制御するコンピュータを、
顧客を識別可能な識別情報の入力を受け付ける入力制御手段と、
各顧客の識別情報と当該顧客に付与されたポイント数とを関連付けて記憶する記憶部から前記入力制御手段が受け付けた前記識別情報に関連付けられた前記ポイント数を抽出する抽出手段と、
前記入力制御手段が前記識別情報の入力を受け付けた時期が、ポイントの利用促進に係る何れかのイベントの告知期間内であるかを判定する判定手段と、
前記判定手段が前記イベントの前記告知期間内であると判定した場合に、当該イベントの開催期間と、前記抽出手段が抽出した顧客の前記ポイント数と、当該開催期間に適用される増加率を顧客の前記ポイント数に適用後のポイント数と、によりポイントの利用を促す告知情報を出力する出力制御手段と、
として機能させるためのプログラム。
【発明の詳細な説明】
【技術分野】
【０００１】
本発明の実施形態は、情報処理装置及びプログラムに関する。
【背景技術】
【０００２】
従来、ショッピングモールの各店舗やスーパーマーケットなどの小売店では、一取引に係る取引額に応じて顧客にポイントを付与するポイントサービスを実施している。このようなポイントサービスにおいて顧客は、付与されたポイントを商品の代価に利用することができる。小売店は、ポイントサービスを実施することで集客し、売上向上を図ることができる。
【０００３】
ところで、ポイントサービスにおいて付与するポイントは、顧客によって商品の代価として利用されるものである。よって、小売店は、付与したポイント分の費用を予算に計上しなければならない。
【０００４】
しかしながら、ポイントが貯まっていることを失念していたり、より多くのポイントを貯めていたりする顧客もいる。このような顧客は、付与されたポイントを利用しないため、小売店の経営を圧迫することになる。
【発明の概要】
【発明が解決しようとする課題】
【０００５】
本発明が解決しようとする課題は、ポイントの利用を促すことができる情報処理装置及びプログラムを提供することである。
【課題を解決するための手段】
【０００６】
実施形態の情報処理装置は、入力制御手段と、抽出手段と、判定手段と、出力制御手段とを備える。前記入力制御手段は、顧客を識別可能な識別情報の入力を受け付ける。前記抽出手段は、各顧客の識別情報と当該顧客に付与されたポイント数とを関連付けて記憶する記憶部から前記入力制御手段が受け付けた前記識別情報に関連付けられた前記ポイント数を抽出する。前記判定手段は、前記入力制御手段が前記識別情報の入力を受け付けた時期が、ポイントの利用促進に係る何れかのイベントの告知期間内であるかを判定する。前記出力制御手段は、前記判定手段が前記イベントの前記告知期間内であると判定した場合に、当該イベントの開催期間と、前記抽出手段が抽出した顧客の前記ポイント数と、当該開催期間に適用される増加率を顧客の前記ポイント数に適用後のポイント数と、によりポイントの利用を促す告知情報を出力する。
【図面の簡単な説明】
【０００７】
【図１】図１は、本実施形態に係るＰＯＳシステムの構成の一例を示す説明図である。
【図２】図２は、ストアサーバのハードウェア構成を示すブロック図である。
【図３】図３は、イベントテーブルの一例を示す説明図である。
【図４】図４は、ＰＯＳ端末のハードウェア構成を示すブロック図である。
【図５】図５は、ＰＯＳシステムの各装置が有する特徴的な機能構成を示すブロック図である。
【図６】図６は、イベント告知レシートの一例を示す説明図である。
【図７】図７は、イベント告知処理の一例を示すフローチャート図である。
【発明を実施するための形態】
【０００８】
以下、添付図面を参照して、商品販売データ処理装置及びプログラムの実施形態を詳細に説明する。なお、以下に説明する実施形態は、情報処理装置及びプログラムの一実施形態であって、その構成や仕様等を限定するものではない。本実施形態の情報処理装置は、スーパーマーケットやショッピングモール等の店舗に導入された、一取引にかかる商品の登録・精算に係る商品販売データ処理を行うＰＯＳ（Point  Of  Sales）端末への適用例である。
【０００９】
なお、本実施形態の情報処理装置は、非接触ＩＣカードやクレジットカード等を読み取り決済を行うカードターミナル型の決済端末に適用してもよい。
【００１０】
図１は、本実施形態に係るＰＯＳシステム１の構成の一例を示す説明図である。ＰＯＳシステム１は、ＰＯＳ端末２と、ストアサーバ４とを備える。そして、ＰＯＳシステム１は、店舗内ネットワーク３を介して、ＰＯＳ端末２とストアサーバ４とを接続している。店舗内ネットワーク３は、例えば、店舗に設置された各装置を接続するＬＡＮ（Local  Area  Network）等である。
【００１１】
ＰＯＳシステム１は、顧客カードを持参した顧客に対して、取引額に応じたポイントを付与するサービスを提供する店舗で利用されるものである。なお、顧客カードは、予め顧客に配布されているものとする。また、顧客カードには、顧客を識別可能な識別情報として顧客コードが予め記録されているものとする。
【００１２】
ＰＯＳ端末２は、スーパーマーケット等の店舗で商品販売データ処理に使用される商品販売データ処理装置である。ＰＯＳ端末２は、ポイントを商品の代価に利用する宣言が入力された場合に、入力されたポイント分の金額を減額して、商品販売データ処理を実行する。ストアサーバ４は、店舗に設置されたＰＯＳ端末２を統括的に管理する情報処理装置である。
【００１３】
次に、ＰＯＳ端末２及びストアサーバ４のハードウェア構成について説明する。
【００１４】
まず、ストアサーバ４のハードウェア構成について説明する。図２は、ストアサーバ４のハードウェア構成を示すブロック図である。ストアサーバ４は、各部を制御するための制御部４００を備える。制御部４００は、図２に示すように、ＣＰＵ（Central  Processing  Unit）４０１と、ＲＯＭ（Read  Only  Memory）４０２と、ＲＡＭ（Random  Access  Memory）４０３とを備える。ＣＰＵ４０１は、アドレスバス、データバス等のバスライン４０４を介して、ＲＯＭ４０２と、ＲＡＭ４０３と接続する。ＣＰＵ４０１は、各部を集中的に制御する。ＲＯＭ４０２は、各種プログラムやデータを記憶する記憶媒体である。ＲＡＭ４０３は、各種プログラムを一時的に記憶したり、各種データを書き換えたりする記憶媒体である。
【００１５】
制御部４００は、バスライン４０４を介して、記憶部４０５と、コントローラ４０６と、通信Ｉ／Ｆ４０７と接続する。
【００１６】
コントローラ４０６は、操作部４０８と、表示部４０９と、プリンタ４１０と接続する。そして、コントローラ４０６は、制御部４００からの指令に基づいて、接続された各部を制御する。操作部４０８は、操作を入力するためのキーボードやマウス等である。表示部４０９は、液晶ディスプレイ等である。プリンタ４１０は、各種情報を印字する印字装置である。
【００１７】
通信Ｉ／Ｆ４０７は、店舗内ネットワーク３を介してＰＯＳ端末２等に接続する。
【００１８】
記憶部４０５は、例えば、ＨＤＤ（Hard  Disk  Drive）やＳＳＤ（Solid  State  Drive）等の記憶装置である。記憶部４０５は、制御プログラムＰＲ１と、商品マスタＭ１と、顧客マスタＭ２と、イベントテーブルＴ１とを記憶する。
【００１９】
制御プログラムＰＲ１は、ストアサーバ４が有する特徴的な機能を発揮させるためのプログラムである。商品マスタＭ１は、商品を識別可能な商品コードと、商品に関する各種情報とを関連付けて記憶する。
【００２０】
顧客マスタＭ２は、顧客コードに、ポイント残高を関連付けて記憶する。顧客コードは、顧客を識別可能な識別情報である。ポイント残高は、顧客コードの顧客に付与されたポイント数の累計残高である。ポイントは、所定の付与率の下、顧客の取引額に応じて、一取引毎に店舗から付与されるものである。また、ポイントは、所定の換金率（例えば、１ポイント＝１円）の下、商品の代価として利用することが可能なものである。
【００２１】
イベントテーブルＴ１は、ポイントサービスのイベントに係るイベント情報を記憶する。ポイントサービスのイベントとは、例えば、ポイントの利用促進を図るために、ポイントの価値を増加させるイベント等である。そして、イベント情報は、イベントの開催の告知に用いられる設定情報である。ここで、図３は、イベントテーブルＴ１の一例を示す説明図である。イベントテーブルＴ１は、イベントコードと、イベント名称と、イベント告知期間と、イベントメッセージと、イベント条件と、ポイント増加率とを関連付けて記憶する。イベントコードは、イベントを識別可能な識別情報である。イベント名称は、イベントの名称である。イベント告知期間は、イベントの開催を告知する期間である。なお、イベント告知期間は、イベント開催期間と同一であってもよいし、異なっていてもよい。イベント告知期間をイベント開催期間よりも早めることにより、店舗の管理者は、事前にイベントの開催を告知することができる。イベントメッセージは、顧客に通知するメッセージである。なお、イベントメッセージは、文字に限らず、文字、数字、図形、表又はこれらの組み合わせであってもよい。イベント条件は、イベントにおいてポイントの価値を増加させるための条件である。さらに詳しくは、閾値ポイント数であるイベント条件は、ポイントの価値を増加させるか否かのポイント数の閾値である。イベント条件における０ポイント以上との設定は、条件が課されないことを意味している。ポイント増加率は、イベント開催期間中のポイントの利用時においてポイントの価値が増加する割合である。
【００２２】
例えば、ポイント増加率が１．００の場合には、顧客は、１００ポイントを１００ポイントとして利用することができる。一方、ポイント増加率が１．５０の場合には、顧客は、１００ポイントを１５０ポイントとして利用することができる。また、店舗の管理者は、同一のイベント情報について、互いに異なる複数のイベント条件及びポイント増加率を設定してもよい。この場合には、店舗の管理者は、同一のイベント情報について、イベント条件ごとに、イベント条件を満たす場合に適用されるポイント増加率を設定する。これにより、店舗の管理者は、イベント条件に応じたポイント増加率を段階的に設定することができる。例えば、店舗の管理者は、イベント条件が「５００ポイント以上」の場合にイベント増加率を「１．１０」と設定する。更に、店舗の管理者は、同一のイベント情報に、イベント条件が「７００ポイント以上」の場合にイベント増加率を「１．３０」と設定する。更に、店舗の管理者は、同一のイベント情報に、イベント条件が「１０００ポイント以上」の場合にイベント増加率を「１．５０」と設定することができる。
【００２３】
次に、ＰＯＳ端末２のハードウェア構成について説明する。図４は、ＰＯＳ端末２のハードウェア構成を示すブロック図である。ＰＯＳ端末２は、各部を制御するための制御部２００を備える。制御部２００は、図４に示すように、ＣＰＵ２０１と、ＲＯＭ２０２と、ＲＡＭ２０３とを備える。ＣＰＵ２０１は、アドレスバス、データバス等のバスライン２０４を介して、ＲＯＭ２０２と、ＲＡＭ２０３と接続する。ＣＰＵ２０１は、各部を集中的に制御する。ＲＯＭ２０２は、各種プログラムやデータを記憶する記憶媒体である。ＲＡＭ２０３は、各種プログラムを一時的に記憶したり、各種データを書き換えたりする記憶媒体である。
【００２４】
制御部２００は、バスライン２０４を介して、記憶部２０５と、コントローラ２０６と、通信Ｉ／Ｆ２０７と接続する。
【００２５】
コントローラ２０６は、操作部２０８と、第１表示部２０９と、第２表示部２１０と、プリンタ２１１と、スキャナ２１２と、カードリーダライタ２１３と接続する。操作部２０８は、操作を入力するためのキーボードやマウス等である。
【００２６】
第１表示部２０９及び第２表示部２１０は、例えば、液晶ディスプレイ等の表示デバイスである。第１表示部２０９及び第２表示部２１０は、商品販売データ処理により登録された商品の品名、価格、決済が宣言された一取引の合計金額、釣銭額等の各種情報を表示する。第１表示部２０９は、主に店員に向けて各種情報を表示する。第２表示部２１０は、主に顧客に向けて各種情報を表示する。なお、第１表示部２０９及び第２表示部２１０は、タッチパネルを備えていてもよい。この場合に、タッチパネルは、操作部２０８として機能する。
【００２７】
プリンタ２１１は、レシートやジャーナル等を印字する印字装置である。プリンタ２１１は、レシート情報をロール状のレシート用紙等に印字し、紙レシートを出力する。また、プリンタ２１１は、イベントを開催することをレシート用紙等に印字する。
【００２８】
スキャナ２１２は、レーザ式のハンドスキャナ、あるいは、光学読取式の縦型スキャナ等である。そして、スキャナ２１２は、商品に付されたバーコードや二次元コード等のコードを光学的に読み取る。
【００２９】
カードリーダライタ２１３は、カードの記憶媒体が記憶する情報の読み取り及び書き込みを実行する装置である。そして、カードリーダライタ２１３は、顧客カードの記憶媒体から顧客を識別可能な識別情報である顧客コードを読み取る。
【００３０】
通信Ｉ／Ｆ２０７は、店舗内ネットワーク３を介してストアサーバ４等に接続する。
【００３１】
記憶部２０５は、例えば、ＨＤＤやＳＳＤ等の記憶装置である。記憶部２０５は、制御プログラムＰＲ２と、商品マスタＭ１と、イベントテーブルＴ１とを記憶する。制御プログラムＰＲ２は、ＰＯＳ端末２が有する特徴的な機能を発揮させるためのプログラムである。商品マスタＭ１及びイベントテーブルＴ１は、ストアサーバ４の記憶部４０５に記憶された商品マスタＭ１及びイベントテーブルＴ１が送信されたものである。
【００３２】
次に、ＰＯＳシステム１の各装置が有する特徴的な機能について説明する。ここで、図５は、ＰＯＳシステム１の各装置が有する特徴的な機能構成を示すブロック図である。
【００３３】
まず、ストアサーバ４が有する特徴的な機能について説明する。
【００３４】
制御部４００のＣＰＵ４０１は、記憶部４０５の制御プログラムＰＲ１をＲＡＭ４０３に展開し、制御プログラムＰＲ１に従って動作することで、図５に示す各機能部をＲＡＭ４０３上に生成する。具体的には、制御部４００は、機能部として、通信制御部４００１と、イベント登録部４００２とを備える。
【００３５】
通信制御部４００１は、通信Ｉ／Ｆ４０７を制御して、店舗内ネットワーク３を介した通信を行う。例えば、通信制御部４００１は、定期的に商品マスタＭ１及びイベントテーブルＴ１をＰＯＳ端末２に送信する。また、通信制御部４００１は、ＰＯＳ端末２から顧客コードを受信する。ＰＯＳ端末２から顧客コードを受信すると通信制御部４００１は、顧客マスタＭ２において、受信した顧客コードに関連付けられたポイント残高をＰＯＳ端末２に送信する。
【００３６】
登録手段であるイベント登録部４００２は、イベントテーブルＴ１にイベント情報を登録する。具体的には、イベント登録部４００２は、操作部４０８からの操作に基づいて、イベント情報を生成する。そして、イベント登録部４００２は、生成したイベント情報をイベントテーブルＴ１に登録する。これにより、店舗の管理者は、店舗が独自に開催するイベントをイベントテーブルＴ１に登録することができる。
【００３７】
次に、ＰＯＳ端末２が有する特徴的な機能について説明する。
【００３８】
制御部２００のＣＰＵ２０１は、記憶部２０５の制御プログラムＰＲ２をＲＡＭ２０３に展開し、制御プログラムＰＲ２に従って動作することで、図５に示す各機能部をＲＡＭ２０３上に生成する。具体的には、制御部４００は、機能部として、通信制御部２００１と、入力制御部２００２と、商品登録部２００３と、会計処理部２００４と、イベント告知制御部２００５と、印字制御部２００６とを備える。
【００３９】
通信制御部２００１は、通信Ｉ／Ｆ２０７を制御して、店舗内ネットワーク３を介した通信を行う。例えば、通信制御部２００１は、ストアサーバ４から定期的にイベントテーブルＴ１を受信する。また、通信制御部２００１は、顧客コードをストアサーバ４に送信する。これにより、通信制御部２００１は、送信した顧客コードに関連付けられたポイント残高を要求する。そして、通信制御部２００１は、ストアサーバ４からポイント残高を受信する。
【００４０】
入力制御手段である入力制御部２００２は、カードリーダライタ２１３等を制御して、顧客コードの入力を受け付ける。または、入力制御部２００２は、操作部２０８を制御して、顧客コードの入力を受け付ける。更に、入力制御部２００２は、スキャナ２１２等を制御して、商品を識別可能な商品コードの入力を受け付ける。または、入力制御部２００２は、操作部２０８を制御して、商品コードの入力を受け付ける。
【００４１】
商品登録部２００３は、一取引に係る商品販売データ処理において、販売対象の商品を登録する商品登録処理を制御する。商品登録部２００３は、入力制御部２００２が販売対象の商品の商品コードを受け付けた場合に、商品マスタＭ１から商品コードに関連付けられた情報を読み出す。そして、商品登録部２００３は、販売対象の商品に係る情報を販売対象の商品として登録する。
【００４２】
会計処理部２００４は、一取引に係る商品販売データ処理において、商品の代価を受領する会計処理を制御する。会計処理部２００４は、商品登録部２００３が登録した商品の合計金額を算出する。そして、会計処理部２００４は、操作部２０８が受け付けた顧客から受領した金額から合計金額を減算する。そして、会計処理部２００４は、減算結果に余りがある場合には、余りをお釣りにする。会計処理部２００４は、ポイントを利用する場合には、利用するポイント数と、ポイント増加率とに基づいて、減額する減額金額を算出する。そして、会計処理部２００４は、商品の合計金額から減額金額を減算した後に、顧客から受領した金額から合計金額を減算する。
【００４３】
イベント告知制御部２００５は、一取引に係る商品販売データ処理において、イベントの開催の告知を制御する。抽出手段であるイベント告知制御部２００５は、入力制御部２００２が受け付けた顧客コードに関連付けられたポイント残高を顧客マスタＭ２から抽出する。具体的には、イベント告知制御部２００５は、入力制御部２００２が受け付けた顧客コードを通信制御部２００１に送信させる。そして、イベント告知制御部２００５は、通信制御部２００１がストアサーバ４から受信したポイント残高を受け取る。これにより、イベント告知制御部２００５は、入力制御部２００２が受け付けた顧客コードに関連付けられたポイント残高を顧客マスタＭ２から抽出する。
【００４４】
判定手段であるイベント告知制御部２００５は、イベントテーブルＴ１に記憶されたイベント情報に基づいて、入力制御部２００２が顧客コードの入力を受け付けた時期が、イベント告知期間内であるか否かを判定する。
【００４５】
イベント告知制御部２００５は、会計処理を実行した日時がイベント告知期間内である場合に、イベントテーブルＴ１に記憶されたイベント情報のイベント条件を顧客が満たしているか否かを判定する。すなわち、イベント告知制御部２００５は、イベント条件で定められた閾値以上のポイント残高が貯まっているか否かを判定する。閾値以上のポイント残高が貯まっている場合に、イベント告知制御部２００５は、イベントを告知すると判定する。一方、閾値以上のポイント残高が貯まっていない場合に、イベント告知制御部２００５は、イベントを告知しないと判定する。
【００４６】
イベント告知制御部２００５は、イベントを告知すると判定した場合に、告知するイベントに係るイベント情報のポイント増加率を抽出する。また、告知するイベントに係るイベント情報に互いに異なる複数のイベント条件及びポイント増加率が関連付けられている場合には、イベント告知制御部２００５は、イベント条件ごとに、顧客のポイント残高が各イベント条件を満たしているか否かを判定する。すなわち、イベント告知制御部２００５は、イベント条件ごとに、顧客のポイント残高が各イベント条件の閾値以上であるか否かを判定する。そして、イベント告知制御部２００５は、顧客のポイント残高が超えることができる最も高い閾値のポイント条件に関連付けられているポイント増加率を抽出する。そして、イベント告知制御部２００５は、抽出したポイント増加率に基づいたポイントを算出する。すなわち、イベント告知制御部２００５は、ポイント残高にポイント増加率を乗算する。
【００４７】
印字制御部２００６は、プリンタ２１１を制御して、商品の販売に係るレシート情報をロール状のレシート用紙に印字して買上レシートを出力する。または、出力制御手段である印字制御部２００６は、イベント告知制御部２００５と協働することで、イベントの開催を告知してポイントの利用を促す告知情報をレシート用紙等に印字したイベント告知レシートＲ１（図６参照）を出力させる。そして、印字制御部２００６は、買上レシートを印字する際に、イベント告知レシートＲ１を出力させる。すなわち、印字制御部２００６は、買上レシートを印字する直前又は直後にイベント告知レシートＲ１を出力させる。または、印字制御部２００６は、買上レシートと、イベント告知レシートＲ１とを分けずに、一枚のレシートに印字してもよい。なお、印字制御部２００６がレシート用紙に印字するのは一例であり、如何なる種類の紙であってもよい。また、イベント告知レシートの用紙のサイズも如何なるサイズであってもよい。更に、イベント告知レシートＲ１は、電子レシートであってもよい。
【００４８】
ここで、図６は、イベント告知レシートＲ１の一例を示す説明図である。印字制御部２００６は、一取引に係る商品販売データ登録処理において、イベント告知制御部２００５がイベントの開催を告知すると判定した場合に、告知情報を印字したイベント告知レシートＲ１を出力する。すなわち、印字制御部２００６は、イベント告知制御部２００５がイベント告知期間内であると判定し、イベント告知制御部２００５がイベント条件を顧客が満たしていると判定した場合に、告知情報を印字したイベント告知レシートＲ１を出力する。イベント告知レシートＲ１には、イベント告知制御部２００５が告知すると判定したイベントの期間中は、顧客コードに関連付けられたポイントを割り増しして利用可能であることを告知する告知情報が印字される。
【００４９】
具体的には、印字制御部２００６は、告知情報としてイベント告知レシートＲ１に、ヘッダーＲ１１と、イベント名称Ｒ１２と、ポイントＲ１３と、メッセージＲ１４とを印字する。ヘッダーＲ１１には、イベント告知レシートＲ１を発行した発行日時と、イベント告知制御部２００５がイベントを告知すると判定した顧客の顧客コードとを備える。イベント名称Ｒ１２は、イベント告知制御部２００５が告知すると判定したイベントの名称である。すなわち、イベント名称Ｒ１２は、イベント告知制御部２００５が告知すると判定したイベントに係るイベント情報のイベント名称である。ポイントＲ１３は、イベントを告知する顧客のポイント残高と、今回の取引において付与されたポイントとを備える。メッセージＲ１４は、イベント期間中はポイントを割り増しして利用可能であることを告知するメッセージである。そして、印字制御部２００６は、イベント告知制御部２００５が告知すると判定したイベントに係るイベント情報のイベントメッセージと、ポイント残高と、ポイント残高に基づいて、メッセージＲ１４を生成する。図６に示すメッセージＲ１４は、「開店１０周年を記念して、１０周年記念イベントを開催します。２０１５/９/１〜２０１５/１０/３１までの期間は、１０００ポイントを１５００ポイントとして利用出来ます。」と印字されている。これにより、２０１５/９/１〜２０１５/１０/３１のイベント期間中は、ポイントを１．５０倍に割り増しして利用可能であることを示している。
【００５０】
また、イベント情報に互いに異なる複数のイベント条件及びポイント増加率が関連付けられている場合には、イベント告知制御部２００５は、ポイント残高が超えることができる最も高い閾値のポイント条件に関連付けられているポイント増加率を抽出する。そして、印字制御部２００６は、メッセージＲ１４には、ポイント残高を抽出したイベント増加率で乗算した値を印字する。これにより、抽出したイベント増加率で割り増ししてポイントを利用可能であることを告知する。
【００５１】
次に、ＰＯＳ端末２が実行するイベント告知処理について説明する。ここで、図７は、実施の形態のＰＯＳ端末２が実行するイベント告知処理の一例を示すフローチャート図である。
【００５２】
まず、ＰＯＳ端末２の入力制御部２００２は、顧客コードの入力を受け付けたか否かを判定する（ステップＳ１）。顧客コードの入力を受け付けていない場合に（ステップＳ１；Ｎｏ）、ＰＯＳ端末２の入力制御部２００２は、顧客コードの入力を待機する。
【００５３】
一方、顧客コードの入力を受け付けた場合に（ステップＳ１；Ｙｅｓ）、ＰＯＳ端末２の通信制御部２００１は、入力された顧客コードを送信して顧客のポイント残高を要求する（ステップＳ２）。
【００５４】
次いで、ＰＯＳ端末２の通信制御部２００１は、入力された顧客コードの顧客のポイント残高を受信する（ステップＳ３）。
【００５５】
次いで、ＰＯＳ端末２の商品登録部２００３は、商品登録処理を実行する（ステップＳ４）。次いで、ＰＯＳ端末２の会計処理部２００４は、会計処理を実行する（ステップＳ５）。
【００５６】
次いで、ＰＯＳ端末２の印字制御部２００６は、買上レシートを印字する（ステップＳ６）。
【００５７】
次いで、ＰＯＳ端末２のイベント告知制御部２００５は、会計処理を実行した現在が、イベントテーブルＴ１に記憶されたイベント情報のイベント告知期間内であるか否かを判定する（ステップＳ７）。イベント告知期間外である場合に（ステップＳ７；Ｎｏ）、ＰＯＳ端末２のイベント告知制御部２００５は、イベント告知処理を終了する。
【００５８】
一方、イベント告知期間内である場合に（ステップＳ７；Ｙｅｓ）、ＰＯＳ端末２のイベント告知制御部２００５は、イベントテーブルＴ１に記憶されたイベント情報のイベント条件を満たしているか否かを判定する（ステップＳ８）。イベント条件を満たしていない場合に（ステップＳ８；Ｎｏ）、ＰＯＳ端末２のイベント告知制御部２００５は、イベント告知処理を終了する。
【００５９】
一方、イベント条件を満たしている場合に（ステップＳ８；Ｙｅｓ）、ＰＯＳ端末２の印字制御部２００６は、告知情報をレシート用紙等に印字したイベント告知レシートＲ１を出力する（ステップＳ９）。
【００６０】
以上により、ＰＯＳ端末２は、イベント告知処理を終了する。
【００６１】
以上のように、本実施形態に係るＰＯＳ端末２によれば、イベント告知制御部２００５は、入力制御部２００２が顧客コードの入力を受け付けた時期が、イベントテーブルＴ１のイベント告知期間内であるか否かを判定する。印字制御部２００６は、イベント告知制御部２００５がイベント告知期間内であると判定した場合に、ポイントの利用を促す告知情報を出力する。従って、本実施形態に係るＰＯＳ端末２は、ポイントの使用を促すことができる。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６３】
例えば、上記実施形態では、ポイント残高が、ストアサーバ４に記憶される構成を説明した。しかしながら、ポイント残高は、カードに記憶されていてもよい。または、ストアサーバ４とは異なるサーバ装置に記憶されていてもよい。
【００６４】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００６５】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【００６６】
１  ＰＯＳシステム
２  ＰＯＳ端末
２００  制御部
２０５  記憶部
２００１  通信制御部
２００２  入力制御部
２００３  商品登録部
２００４  会計処理部
２００５  イベント告知制御部
２００６  印字制御部
４  ストアサーバ
４００  制御部
４０５  記憶部
４００１  通信制御部
４００２  イベント登録部
ＰＲ１  制御プログラム
ＰＲ２  制御プログラム
Ｍ２  顧客マスタ
Ｔ１  イベントテーブル
【先行技術文献】
【特許文献】
【００６７】
【特許文献１】特開２０１１−４８５７８号公報
【図１】
0006314116.tif 000002
【図２】
0006314116.tif 000003
【図３】
0006314116.tif 000004
【図４】
0006314116.tif 000005
【図５】
0006314116.tif 000006
【図６】
0006314116.tif 000007
【図７】
0006314116.tif 000008